Podtech/llm-jp-corpus-v4-ja_patent huggingface dataset:
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
コンピューティングデバイスにより、第１の時間におけるデータソースの状態を表す第１のスナップショットメッセージを生成するステップ、
コンピューティングデバイスにより、第１のスナップショットメッセージを第１の受信者に送信するステップ、
コンピューティングデバイスにより、第１の時間におけるデータソースの状態と第２の時間におけるデータソースの状態の差を表す第１のデルタスナップメッセージを生成するステップ、
コンピューティングデバイスにより、第１のデルタスナップメッセージを第１の受信者に送信するステップ、
コンピューティングデバイスにより、第１の時間におけるデータソースの状態と第３の時間におけるデータソースの状態の差を表す第２のデルタスナップメッセージを生成するステップ、
コンピューティングデバイスにより、第２のデルタスナップメッセージを第１の受信者に送信するステップ、
を含む、方法。
【請求項２】
第１のスナップショットメッセージは、複数のデータレベルで構成され、データレベルのそれぞれは、データソースから提供されるデータの詳細レベルを特定するものである、請求項１に記載の方法。
【請求項３】
複数のデータレベルは、興味の降順に並べられる、請求項２に記載の方法。
【請求項４】
第１のデルタスナップメッセージは、複数のデータレベルで構成され、かつ、データレベルのそれぞれに対する１つ又は複数のアクションを含み、当該アクションは、第２の時間におけるデータソースの状態を反映するように各データレベルを修正するように第１の受信者に命令するものである、請求項２又は３に記載の方法。
【請求項５】
第１のデルタスナップメッセージを第１の受信者に送信する前に、コンピューティングデバイスにより、第１の時間から第２の時間までの間隔が第１の受信者により特定された更新インターバルよりも長いかどうかを決定するステップ、
第１の時間から第２の時間までの間隔が第１の受信者により特定された更新インターバルよりも長い場合、コンピューティングデバイスにより、第１のデルタスナップメッセージを第１の受信者に送信するステップ、
をさらに含む、請求項１から４のいずれか１つに記載の方法。
【請求項６】
データフォーマット部とメッセージ送信部とを備えるシステムであって、
データフォーマット部は、
第１の時間におけるデータソースの状態を表す第１のスナップショットメッセージを生成するステップ、
第１の時間におけるデータソースの状態と第２の時間におけるデータソースの状態の差を表す第１のデルタスナップメッセージを生成するステップ、
第１の時間におけるデータソースの状態と第３の時間におけるデータソースの状態の差を表す第２のデルタスナップメッセージを生成するステップ、
を実行するものであり、
メッセージ送信部は、
第１のスナップショットメッセージを第１の受信者に送信するステップ、
第１のデルタスナップメッセージを第１の受信者に送信するステップ、
第２のデルタスナップメッセージを第１の受信者に送信するステップ、
を実行するものである、システム。
【請求項７】
第１のスナップショットメッセージは、複数のデータレベルで構成され、データレベルのそれぞれは、データソースから提供されるデータの詳細レベルを特定するものである、請求項６に記載のシステム。
【請求項８】
複数のデータレベルは、興味の降順に並べられる、請求項７に記載のシステム。
【請求項９】
第１のデルタスナップメッセージは、複数のデータレベルで構成され、かつ、データレベルのそれぞれに対する１つ又は複数のアクションを含み、当該アクションは、第２の時間におけるデータソースの状態を反映するように各データレベルを修正するように第１の受信者に命令するものである、請求項７又は８に記載のシステム。
【請求項１０】
メッセージ送信部は、
第１のデルタスナップメッセージを第１の受信者に送信する前に、第１の時間から第２の時間までの間隔が第１の受信者により特定された更新インターバルよりも長いかどうかを決定するステップ、
第１の時間から第２の時間までの間隔が第１の受信者により特定された更新インターバルよりも長い場合、第１のデルタスナップメッセージを第１の受信者に送信するステップ、
をさらに実行するものである、請求項６から９のいずれか１つに記載のシステム。
【請求項１１】
請求項１から５のいずれか１つに記載の方法をコンピューティングデバイスに実行させる命令を保存した、コンピュータ読み取り可能媒体。
【請求項１２】
請求項１から５のいずれか１つに記載の方法をコンピューティングデバイスに実行させるためのコンピュータプログラム。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
第１の専用高周波ジェネレータに結合された第１の閉ループアンテナアレイを備える第１の電磁波アプリケータと、
前記第１の閉ループアンテナアレイに隣接して配置され、第２の専用高周波ジェネレータに結合された第２の閉ループアンテナアレイを備える第２の電磁波アプリケータと
を備え、前記第１の閉ループアンテナアレイと前記第２の閉ループアンテナアレイはそれぞれ、一対の直線プラズマ管を備える、堆積システム。
【請求項２】
前記一対の直線プラズマ管はそれぞれ、一端においては同軸導管によって、他端においては横部材によって電気的に結合されている、請求項１に記載の堆積システム。
【請求項３】
前記横部材は電気アイソレータを含む、請求項２に記載の堆積システム。
【請求項４】
前記直線プラズマ管の内の一つと前記同軸導管の内の一方又は両方は、チューナー装置を含む、請求項２又は３に記載の堆積システム。
【請求項５】
前記チューナー装置はリフレクタを備える、請求項４に記載の堆積システム。
【請求項６】
前記同軸導管は、前記直線プラズマ管の内の一つと交差している、請求項２から５のいずれか一項に記載の堆積システム。
【請求項７】
前記直線プラズマ管の内の一つと前記同軸導管の内の一つは、屈曲部を含む、請求項６に記載の堆積システム。
【請求項８】
化学気相堆積プロセスのための堆積システムであって、
一又は複数のガス分配導管を備えるガス分配システムと、
第１の専用高周波ジェネレータに結合された第１の閉ループアンテナアレイと、
第２の専用高周波ジェネレータに結合された第２の閉ループアンテナアレイとを備え、前記第２の閉ループアンテナアレイは、前記第１の閉ループアンテナアレイに隣接して配置されている、システム。
【請求項９】
前記第１の閉ループアンテナアレイと、前記第２の閉ループアンテナアレイは同一平面上にある、請求項１から８のいずれか一項に記載の堆積システム。
【請求項１０】
前記第１の閉ループアンテナアレイと、前記第２の閉ループアンテナアレイは嵌合している、請求項８又は９に記載の堆積システム。
【請求項１１】
前記第１の閉ループアンテナアレイと、前記第２の閉ループアンテナアレイはそれぞれ、一対の直線プラズマ管を備える、請求項８から１０のいずれか一項に記載の堆積システム。
【請求項１２】
前記一対の直線プラズマ管はそれぞれ、一端において同軸導管によって、他端において横部材によって電気的に結合されている、請求項１１に記載の堆積システム。
【請求項１３】
前記横部材は電気アイソレータを含む、請求項１２に記載の堆積システム。
【請求項１４】
前記同軸導管はチューナー装置を含む、請求項１２又は１３に記載の堆積システム。
【請求項１５】
前記チューナー装置はリフレクタを備える、請求項１４に記載の堆積システム。
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
管状体と、
前記管状体内部の第１のキャリアの第１の表面上に配される第１の複数の固体発光要素と、
前記管状体の外部の場所から光出口部を介して見られた場合の前記第１の複数の固体発光要素の発光表面の直接的な可視性を隠すのに十分である程度まで前記第１の表面及び前記管状体の内側表面の第１の部分を覆っている可撓性の反射シートであって、前記光出口部は、前記内側表面の前記可撓性の反射シートによって覆われていない第２の部分を含んでいる、可撓性の反射シートと、
を有する照明装置であって、
前記可撓性の反射シートは前記管状体の内面に対して位置合わせされている、
照明装置。
【請求項２】
前記可撓性の反射シートは前記キャリアの周りに巻かれている、請求項１に記載の照明装置。
【請求項３】
前記キャリアはヒートシンクを有する、請求項１又は２に記載の照明装置。
【請求項４】
前記ヒートシンクは、前記管状体の長手方向の軸と平行な軸に沿って曲げられているシート金属の長手方向を有する、請求項３に記載の照明装置。
【請求項５】
前記可撓性の反射シートは反射性フィルムを有する、請求項１乃至４の何れか一項に記載の照明装置。
【請求項６】
前記第１の複数の固体発光要素は、前記管状体の長手方向に沿って延在しているストリップ状に位置合わせされている発光ダイオードの配置を有する、請求項１乃至５の何れか一項に記載の照明装置。
【請求項７】
前記固体発光要素は前記第１のキャリアの表面に固定されている可撓性ＰＣＢにより担持されている、請求項６に記載の照明装置。
【請求項８】
アセンブリされた前記固体発光要素、キャリア及び反射器を一緒に保持するための端部キャップを更に有する、請求項１乃至７の何れか一項に記載の照明装置。
【請求項９】
前記管状体内の第２のキャリアの第２の表面上に配されている第２の複数の固体発光要素を更に有する請求項１乃至８の何れか一項に記載の照明装置であって、前記第１の表面及び第２の表面は、前記可撓性の反射シートの対向する端部によって覆われている、照明装置。
【請求項１０】
前記第１のキャリア及び前記第２のキャリアが前記光出口部の対向する側において前記管状体内に配されている、請求項９に記載の照明装置。
【請求項１１】
請求項１乃至１０の何れか一項に記載の照明装置が電気的に接続されている照明器具。
【請求項１２】
第１の複数の固体発光要素を第１の可撓性プリント回路基板に電気的に接続するステップと、
長手方向の軸に沿って曲げられた第１の金属シートの長手方向を設けるステップと、
前記第１の可撓性プリント回路基板を前記金属シートの第１の表面に固定するステップと、
可撓撓性の反射シートを少なくとも前記第１の表面に付着させることによってアセンブリを形成する一方で、前記第１の複数の固体発光要素を露出させたままにするステップと、
前記可撓性の反射シートが前記管状体の内側表面の第１の部分を覆う一方で、前記内側表面の光透過性の光出口部の一部を形成する第２の部分を露出させたままにするように、管状体内にアセンブリを配するステップであって、前記第１の部分は、前記管状体の外部の場所から前記光出口部を介して見られた場合の前記発光要素の発光表面の直接的な可視性が隠されるように、大きさを決められている、ステップと、
を有する照明装置の製造のための方法。
【請求項１３】
前記複数の発光要素は前記ＰＣＢに溶接されるＬＥＤを有する、請求項１２に記載の方法。
【請求項１４】
第２の複数の固体発光要素を第２の可撓性プリント回路基板に電気的に接続するステップと、
前記第２の可撓性プリント回路基板を前記金属シートの第２の表面に固定するステップと、
長手方向の軸に沿って曲げられている第２の金属シートの長手方向を設けるステップと、
を更に有し、
前記アセンブリを形成するステップは、前記可撓性の反射シートを少なくとも前記第２の表面に付着させる一方で、前記第２の複数の固体発光要素を露出させたままにするステップであって、前記第１の表面及び第２の表面は前記可撓性の反射シートの対向する端部によって覆われる、ステップを更に有する、
請求項１２又は１３に記載の方法。
【請求項１５】
前記アセンブリを形成するステップは、前記可撓性の反射シートの自由端に対して固定するための対向して磁化された金属ストリップの対を設けるステップであって、前記ストリップは、前記可撓性の反射シートの対向する表面上の前記可撓性の反射シートの前記自由端にわたって適所に保持されており、前記金属シートの前記第１の表面は、前記アセンブリを前記管状体内に配する前に前記可撓性の反射シートの対向する端部によって覆われている、ステップ、
を更に有する、請求項１２又は１３に記載の方法。
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
光源と、
前記光源からの光出力が照射されるべき空間に入射する前に当該光出力を修正するために、前記光源を覆って配置される光修正パネルと、
を含む照明ユニットであって、
前記光修正パネルは、基部と、前記光源に対向して前記基部上にある突起のセットと、を含み、
前記突起は、円柱、楕円柱、若しくは少なくとも５辺の多角形柱、又は、平坦な円形、楕円形、若しくは少なくとも５辺の多角形の上面を有し、錐体部分に対し錐体テーパ角度が５度未満である円錐、楕円錐、若しくは少なくとも５辺の多角錐部分を含み、
前記突起は各々、Ｈ＞Ｎ（Ｄ−Ｈ＊ｔａｎα）を充たす高さＨを有し、ここでαは柱状体に対してはα＝０である前記突起の錐体テーパ角度であり、Ｄは前記突起の先端の直径であり、Ｎは１／Ｎ＝ｔａｎ（ｓｉｎ−１（ｓｉｎ３５／ｎ））によって与えられ、ここでｎは前記光修正パネルの材料の屈折率である、
照明ユニット。
【請求項２】
前記錐体部分に対し、前記錐体テーパ角度は２度未満である、請求項１に記載の照明ユニット。
【請求項３】
前記錐体部分に対し、前記錐体テーパ角度は１度未満である、請求項１に記載の照明ユニット。
【請求項４】
Ｎは２．３〜２．７の範囲内である、請求項１に記載の照明ユニット。
【請求項５】
前記光源はＬＥＤのアレイを含む、請求項１乃至４の何れか一項に記載の照明ユニット。
【請求項６】
前記ＬＥＤのアレイの上に提供されるビーム成形光学アレンジメントを更に含む、請求項５に記載の照明ユニット。
【請求項７】
前記ビーム成形光学アレンジメントは、コリメーション機能を実行する、請求項６に記載の照明ユニット。
【請求項８】
前記ビーム成形光学アレンジメントは、蝙蝠翼状の光分配機能を実行する、請求項６に記載の照明ユニット。
【請求項９】
前記ビーム成形光学アレンジメントは、少なくとも第１及び第２の相違するタイプのレンズを含む、請求項６乃至８の何れか一項に記載の照明ユニット。
【請求項１０】
前記基部は、前記突起とは反対の側に光散乱表面を含む、請求項１乃至９の何れか一項に記載の照明ユニット。
【請求項１１】
前記突起の前記先端は散乱表面を備える、請求項１乃至１０の何れか一項に記載の照明ユニット。
【請求項１２】
前記光源と前記光修正パネルとの間にディフューザを更に含む、請求項１乃至１１の何れか一項に記載の照明ユニット。
【請求項１３】
前記光修正パネルは射出成形されている、請求項１乃至１２の何れか一項に記載の照明ユニット。
【請求項１４】
天井照明器具を含む、請求項１乃至１３の何れか一項に記載の照明ユニット。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
２つの外装シートの間に位置付けられる支持パネルを有する照明装置であって、
前記支持パネルは、少なくとも１つの発光モジュールを備え、
前記外装シートは、
各々が２つの平行な縦側部を有し、
少なくとも、前記支持パネル及び前記外装シートが互いに実質的に平行に延在する閉じた状態から、前記閉じた状態よりも前記外装シートが少なくとも部分的にさらに離間される広げた状態へと、互いに対して移動可能であり、
前記閉じた状態では、相互接続された縦側部の第１及び第２のセットを形成するために、前記２つの外装シートの第１の前記２つの平行な縦側部が、それぞれの前記２つの外装シートの第２の前記２つの平行な縦側部に接続され、
相互接続された縦側部の前記第１及び第２のセットは、前記広げた状態では、前記外装シートを離間するために互いに向かって移動可能であり、
前記支持パネルは、発光モジュールとして発光ダイオードを含み、前記閉じた状態及び前記広げた状態の両方において前記外装シートの間に位置付けられ、前記発光ダイオードは、前記外装シートの少なくとも一つに面する、
照明装置。
【請求項２】
少なくとも前記広げた状態では、前記外装シートの相互接続された縦側部の前記２つのセットは、前記支持パネルのための取り付け具を有する、請求項１に記載の照明装置。
【請求項３】
前記外装シートの少なくとも１つが、前記２つの平行な縦側部の間に延在する折り目について畳むことが可能なフラップを有する、請求項１または２に記載の照明装置。
【請求項４】
前記折り目がアーク状であり、前記アーク状の折り目の凸側が、前記フラップの外側に位置付けられている、請求項３に記載の照明装置。
【請求項５】
前記フラップが、前記フラップの一方の側にある前記アーク状の折り目と、前記フラップの対向する側にあるアーク状縁部とによって境界付けられている、請求項４に記載の照明装置。
【請求項６】
前記広げた状態では、前記外装シートは、閉じられた前記フラップによって離間されたままである、請求項３ないし５のいずれか一項に記載の照明装置。
【請求項７】
前記外装シートの一方は反射性であり、前記広げた状態では、発光モジュールによって前記反射性外装シートに向かって放射された光は、前記反射性外装シートによって、前記支持パネルを通って他方の半透明な外装シートに向かって反射される、請求項１ないし６のいずれか一項に記載の照明装置。
【請求項８】
前記支持パネルは、少なくとも部分的に半透明である、請求項７に記載の照明装置。
【請求項９】
前記半透明な外装シートは、光拡散器である、請求項７または８に記載の照明装置。
【請求項１０】
前記反射性外装シートは、不透明である、請求項７ないし９のいずれか一項に記載の照明装置。
【請求項１１】
前記外装シートの前記相互接続された縦側部が、締結手段によって互いに接続される、請求項１ないし１０のいずれか一項に記載の照明装置。
【請求項１２】
前記発光ダイオードが、前記支持パネルの両側に取り付けられ、各々がそれぞれの前記外装シートの一つに面する、請求項１ないし１１のいずれか一項に記載の照明装置。
【請求項１３】
両方の前記外装シートが、半透明である、請求項１２に記載の照明装置。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
照明システムにおいて使用する装置であって、
ワイヤレスデバイスのロケーションに関するデバイスロケーション情報を決定するデバイスロケーションモジュールと、
前記照明システムに関連付けられている空間領域において、ユーザが、前記ワイヤレスデバイスと共にいるかどうかを示すユーザロケーション情報を決定するユーザロケーションモジュールと、
複数のアクセスルールに依存して、前記ワイヤレスデバイスに、前記照明システムを制御することを許可するアクセスモジュールと、
を含み、
前記アクセスルールは、少なくとも、（ｉ）前記許可は、前記デバイスロケーション情報に基づいて、前記ワイヤレスデバイスが、前記照明システムに関連付けられている前記空間領域内であることが決定されるという条件付きであることと、（ｉｉ）前記許可は、前記ユーザロケーション情報が、前記ワイヤレスデバイスはユーザと共にないことを示すことを決定することに応えて、保留されることとを含む、装置。
【請求項２】
前記ユーザロケーションモジュールは、少なくとも１つの存在センサからの入力に基づいて、前記ユーザロケーション情報を決定する、請求項１に記載の装置。
【請求項３】
前記少なくとも１つの存在センサは、占有状態センサであり、前記ユーザロケーション情報は、任意のユーザが、前記空間領域内にいるか否かを示し、前記ワイヤレスデバイスはユーザと共にないことの前記決定は、前記空間領域内にユーザがいないことを検出することを含む、請求項２に記載の装置。
【請求項４】
前記少なくとも１つの存在センサは、位置センサであり、前記ユーザロケーション情報は、前記空間領域における前記ユーザの位置を含み、前記デバイスロケーション情報は、前記空間領域における前記ワイヤレスデバイスの位置を含み、前記ワイヤレスデバイスはユーザと共にないことの前記決定は、前記ユーザが、前記ワイヤレスデバイスと同じ前記領域における位置にないことを検出することを含む、請求項２に記載の装置。
【請求項５】
前記少なくとも１つの存在センサは、動きセンサを含み、前記ユーザロケーション情報は、前記空間領域において動きが検出されるか否かを示し、前記ワイヤレスデバイスはユーザと共にないことの前記決定は、前記空間領域における動きがないことを検出することを含む、請求項２乃至４の何れか一項に記載の装置。
【請求項６】
前記アクセスモジュールは、前記照明システムに関連付けられている前記空間領域に向けてチャレンジを発行し、
前記ユーザロケーション情報は、前記空間領域内に人間がいることを実証する前記チャレンジに対する回答の返却か、又は、人間がいないことを示す前記回答がないことを含み、前記チャレンジは、人間には理解可能であるが、前記ワイヤレスデバイスによっては自動的に認識されず、及び／又は、前記回答は、前記ワイヤレスデバイスによって自動的に行われない物理的な行動を含み、
前記ワイヤレスデバイスはユーザと共にないことの前記決定は、前記回答がないことを検出することを含む、請求項１乃至５の何れか一項に記載の装置。
【請求項７】
前記ユーザロケーションモジュールは、タイマと、前記デバイスロケーションモジュールからの入力とを含み、前記ユーザロケーション情報は、前記ワイヤレスデバイスが前記空間領域において留まっている時間を含み、前記ワイヤレスデバイスはユーザと共にないことの前記決定は、前記ワイヤレスデバイスが、ユーザは前記ワイヤレスデバイスと共にいないと見なされるような時間の長さを過ぎて、前記空間領域において留まっていることを決定することを含む、請求項１乃至６の何れか一項に記載の装置。
【請求項８】
前記ユーザロケーション情報は、前記空間領域にいるユーザと一致しない異常挙動に関する情報を含み、前記ワイヤレスデバイスがユーザと共にないことの前記決定は、前記異常挙動を検出することを含む、請求項１乃至７の何れか一項に記載の装置。
【請求項９】
前記空間領域は、前記照明システムによって照らされる領域を含むか、又は、前記照明システムによって照らされる領域によって構成される、請求項１乃至８の何れか一項に記載の装置。
【請求項１０】
前記デバイスロケーションモジュールは、ロケーションネットワークの１つ以上の固定アンカーノードから、前記デバイスロケーション情報を決定する、請求項１乃至９の何れか一項に記載の装置。
【請求項１１】
前記デバイスロケーションモジュールは、屋内測位システムから、前記デバイスロケーション情報を決定する、請求項１乃至１０の何れか一項に記載の装置。
【請求項１２】
請求項１乃至１１の何れか一項に記載の装置と、前記アクセスモジュールによって前記制御が許可されている場合に、ワイヤレスユーザデバイスからの制御信号に基づいて、前記照明システムの１つ以上の照明器具を動作させることによって、前記制御を行う制御モジュールと、を含む、コントローラ。
【請求項１３】
請求項１２のコントローラと、前記１つ以上の照明器具とを含む、照明システム。
【請求項１４】
１つ以上の照明器具と、
前記１つ以上の照明器具を動作させることによって、照明システムを制御する制御モジュールと、
ワイヤレスデバイスのロケーションに関するデバイスロケーション情報を決定するデバイスロケーションモジュールと、
前記照明システムに関連付けられている空間領域において、ユーザが、前記ワイヤレスデバイスと共にいるかどうかを示すユーザロケーション情報を決定するユーザロケーションモジュールと、
複数のアクセスルールに依存して、前記ワイヤレスデバイスに、前記照明システムを制御することを許可するアクセスモジュールと、
を含み、
前記アクセスルールは、少なくとも、（ｉ）前記許可は、前記デバイスロケーション情報に基づいて、前記ワイヤレスデバイスが、前記照明システムに関連付けられている前記空間領域内であることが決定されるという条件付きであることと、（ｉｉ）前記許可は、前記ユーザロケーション情報が、前記ワイヤレスデバイスはユーザと共にないことを示すことを決定することに応えて、保留されることとを含む、照明システム。
【請求項１５】
照明システムの制御を保証するためのコンピュータプログラムであって、コンピュータ可読記憶媒体上で具現化され、プロセッサ上で実行されると、
ワイヤレスデバイスのロケーションに関するデバイスロケーション情報を決定する動作と、
前記照明システムに関連付けられている空間領域において、ユーザが、前記ワイヤレスデバイスと共にいるかどうかを示すユーザロケーション情報を決定する動作と、
複数のアクセスルールに依存して、前記ワイヤレスデバイスに、前記照明システムを制御することを許可する動作と、
を行うように構成されるコードを含み、
前記アクセスルールは、少なくとも、（ｉ）前記許可は、前記デバイスロケーション情報に基づいて、前記ワイヤレスデバイスが、前記空間領域内であることが決定されるという条件付きであるということと、（ｉｉ）前記許可は、前記ユーザロケーション情報が、前記ワイヤレスデバイスはユーザと共にないことを示すことを決定することに応えて、保留されることとを含む、コンピュータプログラム。
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
ヒートシンクに熱的に接続される発光体を含み、通信信号を送信及び／又は受信するための、前記ヒートシンクに結合される通信回路を更に含む、照明装置であって、前記ヒートシンクは導電性であり、前記ヒートシンクを介して指向性を持たせて特定の周波数の通信信号を送信及び／又は受信するための、前記特定の周波数に対して同調される開口アンテナを構成するための特定の寸法を有する開口を含み、前記通信回路は、前記ヒートシンクによって少なくとも部分的に囲まれる一次放射器であって、通信信号を表す電界を前記開口アンテナ内へと誘起させるために前記特定の周波数で前記通信信号を送信及び／又は受信する、一次放射器に接続され、前記開口にわたる電界は、前記開口アンテナの放射特性に従って、前記開口が指向性を持たせて通信信号を再放出することを引き起こし、前記開口アンテナの前記開口の外縁は、Ｎ＊（λ／４）と等しい寸法を有し、Ｎは整数であり、λは前記特定の周波数の通信信号の波長である、照明装置。
【請求項２】
前記一次放射器は、ダイポールアンテナ、板状逆Ｆアンテナ、パッチアンテナ、マイクロストリップライン、及び導波管を含むリストから選択される、請求項１に記載の照明装置。
【請求項３】
前記ヒートシンク内の前記開口の前記外縁に接続される内面は、通信信号を前記一次放射器から前記開口アンテナまで導くための形状とされる、請求項１に記載の照明装置。
【請求項４】
前記内面の断面寸法は、ホーン開口アンテナを形成するために、前記ヒートシンクの外側に向かって増大する、請求項３に記載の照明装置。
【請求項５】
前記一次放射器は前記開口アンテナの端に配置され、前記開口アンテナは、前記端から前記開口アンテナの前記開口にわたり電界を導く、請求項１に記載の照明装置。
【請求項６】
前記開口アンテナに結合される更なる開口を含み、前記更なる開口は、前記特定の周波数に対する更なる開口アンテナを構成するための寸法を有し、前記更なる開口アンテナは、前記開口アンテナの導かれた電界を供給される、請求項５に記載の照明装置。
【請求項７】
前記開口アンテナは、平面を規定する略長方形の開口を含み、前記更なる開口アンテナは、前記照明装置の光軸と略垂直に配置される更なる平面を規定する略円形の開口を含む、請求項６に記載の照明装置。
【請求項８】
前記略長方形の開口によって規定される前記平面は、前記照明装置の光軸と略平行に配置される、請求項７に記載の照明装置。
【請求項９】
前記発光体は、前記更なる開口アンテナの前記更なる開口を構成する凹み縁を有する、前記ヒートシンクの凹みに配置される、請求項７に記載の照明装置。
【請求項１０】
受信した前記通信信号に応じて前記照明装置を制御するための制御回路を更に含む、請求項１に記載の照明装置。
【請求項１１】
前記制御回路は、スイッチをオンにすること、スイッチをオフにすること、調光すること、色を変更すること、スイッチのオンをタイミングすること、スイッチのオフをタイミングすること、発光の焦点を変更すること、ビーム角度を制御すること、寿命、電力の消費を推定すること、及び故障、識別を検出すること、を含むリストから選択される前記照明装置の機能を制御する、請求項１０に記載の照明装置。
【請求項１２】
前記照明装置の外形は、Ａ１９、Ｅ２６、Ｅ２７、Ｅ１４、Ｅ４０、Ｂ２２、ＧＵ‐１０、ＧＺ１０、Ｇ４、ＧＹ６．３５、Ｇ８．５、ＢＡ１５ｄ、Ｂ１５、Ｇ５３、ＰＡＲ及びＧＵ５．３を含むリストから選択されるライト取付構造と協働する、請求項１に記載の照明装置。
【請求項１３】
請求項１乃至１２の何れか一項に記載の照明装置を含む、照明器具。
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
外科装置インターフェース要素を含む装置であって、
前記外科装置インターフェース要素は、
第１の本体構造と、
該第１の本体構造内に回転可能に取り付けられる複数の中間ディスクとを含み、
該複数の中間ディスクの各中間ディスクは、
第１の整列レセプタクルと、複数の駆動ドッグレセプタクルとを含む、被駆動インターフェースと、
該被駆動インターフェースの反対側にあり且つ該被駆動インターフェースから取り外される駆動インターフェースとを含み、
該駆動インターフェースは、複数の駆動ドッグと、係合構造とを含み、
該係合構造は、前記駆動インターフェースから遠位方向に延びる開放三次元構造を含む、
装置。
【請求項２】
前記開放三次元構造は、円形区画と、間隙区画とを含み、
前記円形区画は、第１の高さと、第１の端と、第２の端とを含み、
前記間隙区画は、前記円形区画の前記第１の端と前記第２の端との間に延び、
前記間隙区画は、前記第１の高さよりも少ない第２の高さを含む、
請求項１に記載の装置。
【請求項３】
前記開放三次元構造は、前記円形区画の前記第１の端に当接し且つ前記駆動インターフェースの周縁に向かって延びる壁を更に含む、請求項２に記載の装置。
【請求項４】
前記第１の整列レセプタクルは、外科器具マニピュレータアセンブリの駆動出力ディスクから延びる第１の整列要素と噛み合うように構成される、請求項２に記載の装置。
【請求項５】
前記被駆動インターフェースは、第２の整列レセプタクルを更に含み、
前記第１の整列レセプタクルは、外科器具マニピュレータアセンブリの駆動出力ディスクから延びる第１の整列要素と噛み合うように構成され、
前記第２の整列レセプタクルは、前記駆動出力ディスクから延びる第２の整列要素と噛み合うように構成され、
前記第１の整列レセプタクルは、前記第２の整列レセプタクルから分離され、
前記第１及び第２の整列レセプタクルの組み合わせは、前記中間ディスク及び前記駆動出力ディスクが噛み合わされることを条件として、前記中間ディスクを前記駆動出力ディスクに方向付ける、
請求項２に記載の装置。
【請求項６】
前記第１の本体構造は、複数のハードストップを更に含み、
該複数のハードストップの各ハードストップは、前記複数の中間ディスクのうちの関連付けられる中間ディスクに対応し、
前記複数の中間ディスクの各中間ディスクは、ハードストップタブを更に含み、
前記中間ディスクの第１の軸方向位置において、前記ハードストップタブは、前記中間ディスクと関連付けられる前記ハードストップと接触し、
前記中間ディスクの第２の軸方向位置において、前記中間ディスクは、前記ハードストップタブが前記中間ディスクと関連付けられる前記ハードストップと接触せずに、自由に回転する、
請求項２に記載の装置。
【請求項７】
前記複数の駆動ドッグレセプタクルの各駆動ドッグレセプタクルは、
外面から前記中間ディスク内に延びる対向する側壁を含む第１の部分と、
該第１の部分から遠位に延びる第２の部分とを含み、
前記第２の部分は、２つの対向する側面を含み、各側面は、傾斜面である、
請求項２に記載の装置。
【請求項８】
前記傾斜面は、楔の側面の一部を含む、請求項７に記載の装置。
【請求項９】
前記複数の駆動ドッグの各駆動ドッグは、
三次元構造を含む第１の部分と、
該第１の部分から遠位に延びる第２の部分とを含み、
該第２の部分は、第２の部分の２つの対向する側面を含み、各第２の部分の側面は、曲面を含む、
請求項２に記載の装置。
【請求項１０】
前記曲面は、円形区画の一部を含む、請求項９に記載の装置。
【請求項１１】
前記外科装置インターフェース要素は、第２の本体構造を更に含み、
前記第１の本体構造は、前記第２の本体構造内に可動に取り付けられる、
請求項２に記載の装置。
【請求項１２】
前記第２の本体構造は、スキッドプレートを含む、請求項１１に記載の装置。
【請求項１３】
前記第２の本体構造に付けられる減菌ドレープを更に含む、請求項１１に記載の装置。
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
光インタロゲーションのための方法であって、
管腔網の３次元（３Ｄ）モデル、および標的に向かってナビゲートするための経路計画をインポートする工程と、
電磁（ＥＭ）場を前記管腔網の周りに発生させる工程と、
ＥＭセンサ、光源、および光受信機を、前記経路計画に従い前記標的に向かって前記管腔網の中に挿入する工程と、
前記ＥＭセンサで前記ＥＭ場を感知する工程と、
前記ＥＭ場内における前記ＥＭセンサの位置を前記３Ｄモデルと同期させる工程と、
前記光源で光を発する工程と、
前記光受信機で前記管腔網から反射された光を受信する工程と、
前記反射された光に基づき前記標的の種類もしくは密度、１つ以上の血管の存在、病状、および前記標的の治療の十分性を予測する工程と、
を含む、方法。
【請求項２】
前記ＥＭ場の座標系と前記３Ｄモデルの座標系との間の縮尺係数を計算する工程をさらに含む、請求項１に記載の方法。
【請求項３】
前記経路計画および前記縮尺係数に基づき前記ＥＭセンサの移動距離を縮尺して前記３Ｄモデル内における前記ＥＭセンサの移動を同期させる工程をさらに含む、請求項２に記載の方法。
【請求項４】
前記反射された光に基づき画像を生成する工程をさらに含む、請求項１に記載の方法。
【請求項５】
生成された画像を前記３Ｄモデルと統合させる工程をさらに含む、請求項４に記載の方法。
【請求項６】
前記ＥＭセンサの位置に基づき統合された３Ｄモデルを表示する工程をさらに含む、請求項５に記載の方法。
【請求項７】
前記生成された画像は前記管腔網の内部を示す、請求項５に記載の方法。
【請求項８】
前記ＥＭセンサの位置と前記光受信機の位置との間の距離を計算する工程をさらに含む、請求項５に記載の方法。
【請求項９】
前記生成された画像を前記３Ｄモデルと統合させる工程は前記距離に基づいている、請求項８に記載の方法。
【請求項１０】
前記患者の呼吸パターンを認識する工程をさらに含む、請求項４に記載の方法。
【請求項１１】
前記呼吸パターンに基づき患者の呼吸を補正することにより前記ＥＭセンサの位置を特定する工程をさらに含む、請求項１０に記載の方法。
【請求項１２】
生成された画像は、前記３Ｄモデルとの複合画像データセットを生成するように選択的に融合される、請求項１１に記載の方法。
【請求項１３】
前記ＥＭセンサの位置に基づき状況を表示する工程をさらに含む、請求項１に記載の方法。
【請求項１４】
前記状況は、前記光受信機が標的内でない位置、前記標的、または健康な組織に隣接する位置にあるか否かを示す、請求項１３に記載の方法。
【請求項１５】
前記状況は、前記標的の治療が完了しているか否かを示す、請求項１３に記載の方法。
【請求項１６】
前記標的の密度が所定の値以下であるか否かを判定する工程をさらに含む、請求項１に記載の方法。
【請求項１７】
前記標的の密度が前記所定の値以下であるか否かの判定結果を知らせる通知を表示する工程をさらに含む、請求項１６に記載の方法。
【請求項１８】
治療された標的の色が所定の色の変化に達しているか否かを判定する工程をさらに含む、請求項１に記載の方法。
【請求項１９】
前記治療された標的の色が前記所定の色の変化に達しているか否かの判定結果を知らせる通知を表示する工程をさらに含む、請求項１８に記載の方法。
【請求項２０】
発せられた光の波長は、４００ナノメートルから７００ナノメートルに及ぶ、請求項１に記載の方法。
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
光インタロゲーション用システムであって、
管腔網の３Ｄモデルおよび管腔網をナビゲートするための経路計画を格納するメモリと、
電磁（ＥＭ）場を発生するように構成されたＥＭボードと、
前記経路計画に従い標的に向かって患者の管腔網をナビゲートするように構成された伸長式作業チャネル（ＥＷＣ）と、
前記ＥＷＣの遠位端から遠位に延在し、かつ前記ＥＭ場を感知するように構成されたＥＭセンサと、
前記ＥＷＣまたはその周囲に位置し、かつ光を発するように構成された光源と、
前記ＥＷＣまたはその周囲に位置し、かつ前記管腔網の気道から反射された光を感知するように構成された光受信機と、
前記反射された光を光データに変換し、組織の種類もしくは密度を特定し、１つ以上の血管の存在を特定し、可視画像を生成し、前記光データを前記３Ｄモデルと統合するように構成されたプロセッサと、
を備える、システム。
【請求項２】
前記３Ｄモデルを用いて統合された光データを表示するように構成された表置装置をさらに備える、請求項１に記載のシステム。
【請求項３】
前記表示装置は、前記ＥＭセンサの位置に基づく状況を表示するようにさらに構成されている、請求項２に記載のシステム。
【請求項４】
前記状況は、前記ＥＭセンサが標的内でない位置、前記標的、または健康な組織に隣接する位置にあるか否かを示す、請求項３に記載のシステム。
【請求項５】
前記状況は、前記標的の治療が完了しているか否かを示す、請求項３に記載のシステム。
【請求項６】
生成された画像は前記管腔網の内部を示す、請求項２に記載のシステム。
【請求項７】
生成された可視画像の解像度は前記３Ｄモデルの解像度よりも高い、請求項１に記載のシステム。
【請求項８】
前記光源および前記光受信機は、前記ＥＷＣの遠位端またはその周囲に位置している、請求項１に記載のシステム。
【請求項９】
前記光データの統合位置は、前記３Ｄモデル内における前記ＥＭセンサの位置に基づいている、請求項１に記載のシステム。
【請求項１０】
前記プロセッサは、前記光データに基づき治療装置が前記標的にあるか否かを判定するようにさらに構成されている、請求項１に記載のシステム。
【請求項１１】
前記プロセッサは、前記光データにより前記標的の密度に基づき治療の十分性を判定するようにさらに構成されている、請求項１に記載のシステム。
【請求項１２】
前記プロセッサは、蛍光染料で染色されている標的の蛍光の変化に基づき治療の十分性を判定するようにさらに構成されている、請求項１に記載のシステム。
【請求項１３】
前記プロセッサは、肺組織からの光の反射パターンに基づき予測アルゴリズムを用いて分光分析を行う、請求項１に記載のシステム。
【請求項１４】
前記光源および前記光受信機は、共焦点画像診断装置または光干渉断層撮影装置に一体化されている、請求項１に記載のシステム。
【請求項１５】
前記プロセッサは、前記ＥＭセンサと前記光受信機との間の離間距離を判定するようにさらに構成されている、請求項１に記載のシステム。
【請求項１６】
前記光データの前記３Ｄモデルとの統合は前記離間距離に基づいている、請求項１４に記載のシステム。
【請求項１７】
患者の上に位置し、かつ前記患者の呼吸パターンを認識するように構成された複数の基準センサをさらに備える、請求項１に記載のシステム。
【請求項１８】
前記呼吸パターンに基づき患者の呼吸を補正することにより前記ＥＭセンサの位置を特定するように構成された追跡装置をさらに備える、請求項１６に記載のシステム。
【請求項１９】
生成された画像は、前記３Ｄモデルとの複合画像データセットを作成するように選択的に融合される、請求項１に記載のシステム。
【請求項２０】
発せられた光の波長は、４００ナノメートルから７００ナノメートルに及ぶ、請求項１に記載のシステム。
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
血液を容器の中に採取し、静脈内管につながる機器であって、
内部を画定しており、容易に分離することができる容器の端部をその中で受けるように適合及び構成される採取空洞を含む主本体と、
第１の鋭い先端を有する第１の引き込み可能な中空針であって、前記第１の鋭い先端が血管へ挿入するための前記主本体の外部にある第１の延伸位置から、前記第１の鋭い先端が前記内部の一部の中にある第２の引き込み位置まで移動可能である、第１の引き込み可能な中空針と、
前記主本体に取り付けられ、前記採取空洞の中に延びている第２の鋭い先端を有する第２の中空針と、
本体及び中空ルーメンを有し、前記ルーメンの中で前記第１の針を受けるカテーテル組立体であって、前記第１の鋭い先端が、前記ルーメンの遠位端部から延び、前記カテーテル本体が、前記静脈内管に取り付けるように適合及び構成される近位端部を有する、カテーテル組立体と、
前記第１の針から前記第２の針までの流体流路中に含まれる気体を逃がすことができる、前記主本体によって支持された気体パージング弁とを備え、
前記第１の針及び前記主本体が、前記カテーテル組立体から容易に分離することができ、前記第１の針が、前記第１の針が前記カテーテル組立体から分離したことに応答して自動的に前記第２の位置に引っ込み、前記採取空洞は、前記第１の位置及び前記第２の位置の両方において、前記内部の一部に対して固定された関係を維持する、機器。
【請求項２】
自動的に前記第１の針を引き込むための手段を更に備える、請求項１に記載の機器。
【請求項３】
前記引き込み手段が、前記第１の位置において圧縮状態のばねを含む、請求項２に記載の機器。
【請求項４】
前記第１の針の自動引き込みを防止するための手段を更に備える、請求項１に記載の機器。
【請求項５】
前記防止手段が、それぞれが対応する平らな区域の中で受けられる複数のフィンガーを含み、前記主本体が、前記フィンガー又は前記平らな区域の一方を含み、第１の針体が、前記フィンガー又は前記平らな区域の他方を含む、請求項４に記載の機器。
【請求項６】
前記防止手段が、前記カテーテル本体と前記主本体との間の摩擦嵌合を含む、請求項４に記載の機器。
【請求項７】
前記第１の中空針のルーメンから前記第２の中空針のルーメンへの流体流路は、血液を前記容器に提供するように適合及び構成される、請求項１に記載の機器。
【請求項８】
前記第１の中空針は、前記第２の中空針から分離している、請求項１に記載の機器。
【請求項９】
前記第１の延伸位置及び前記第２の引き込み位置の両方において、前記第１の中空針と前記第２の中空針との間に流体連通を提供する可撓管を更に備える、請求項８に記載の機器。
【請求項１０】
前記第２の先端が、前記主本体の外側に延びていない、請求項１に記載の機器。
【請求項１１】
前記採取空洞の中で摺動可能なカバーであって、前記カバーの開口が前記第２の針を取り囲む第１の位置から、前記カバーが前記採取空洞を閉じて前記第２の鋭い先端へのアクセスを防止する第２の位置まで摺動可能なカバーを更に備える、請求項１０に記載の機器。
【請求項１２】
前記第２の鋭い先端を取り囲む可撓シースを更に備える、請求項１０に記載の機器。
【請求項１３】
前記第１の針から前記第２の針への流体流路を提供するように適合及び構成された可撓管を更に備える、請求項１に記載の機器。
【請求項１４】
前記第１の中空針から前記第２の中空針までの流体流路の中に含まれる気体を逃がすことができる気体パージング弁を更に備える、請求項１に記載の機器。
【請求項１５】
前記第１の針から前記第２の針への流体流路を提供するように適合及び構成された可撓管を更に備える、請求項１４に記載の機器。
【請求項１６】
前記採取空洞用カバーを更に備え、前記第２の位置において前記第２の中空針へのアクセスを防止する位置に前記カバーを押しやるように適合及び構成されたばねを更に備える、請求項１５に記載の機器。
【請求項１７】
前記採取空洞用カバーを更に備え、前記第２の位置において前記第２の中空針へのアクセスを防止する位置に前記カバーを押しやるように適合及び構成されたばねを更に備える、請求項１に記載の機器。
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
少なくとも２つの化学種のＭＲイメージング方法であって、
ａ）ＭＲデバイスの検査ボリューム内に置かれた身体に、ＲＦパルス及び切り替え磁場勾配からなるイメージングシーケンスを当てることによって、異なるエコー時間におけるエコー信号を生成するステップと、
ｂ）低空間分解能において、少なくとも４つの前記エコー信号を取得するステップと、
ｃ）前記少なくとも２つの化学種各々のＭＲスペクトルと、前記検査ボリュームにおける主磁場の空間的変化と、実効横緩和率とを含む信号モデルに基づいて、前記少なくとも４つのエコー信号からのフィッティング手順によって、前記低空間分解能において取得された前記エコー信号における位相誤差を推定するステップと、
ｄ）高空間分解能において、前記少なくとも４つのエコー信号を取得するステップと、
ｅ）推定される渦電流誘起位相誤差に基づいて、前記高空間分解能において取得された前記エコー信号への前記少なくとも２つの化学種の信号寄与を定量的に分離するステップと、
を含む、方法。
【請求項２】
前記信号モデルは、位相誤差の原因を各エコー信号に帰する、請求項１に記載の方法。
【請求項３】
前記フィッティング手順は、前記少なくとも２つの化学種の前記信号寄与と、前記主磁場の前記空間的変化と、前記実効横緩和率と、前記渦電流誘起位相誤差とを含む前記信号モデルのすべての未知のパラメータの値を、前記信号モデルが取得された前記エコー信号にベストフィットするように、求める、請求項１又は２に記載の方法。
【請求項４】
前記信号モデルの前記未知のパラメータのうちの少なくとも１つの未知のパラメータの推定値が、前記フィッティング手順の初期化のために提供される、請求項３に記載の方法。
【請求項５】
前記推定値は、取得された前記エコー信号からなるサブセットから導出される、請求項４に記載の方法。
【請求項６】
前記未知のパラメータの前記値のうちの少なくとも１つの値における不明確さは、事前情報を使用して解消される、請求項３乃至５の何れか一項に記載の方法。
【請求項７】
前記不明確さは、前記主磁場及び／又は前記渦電流誘起位相誤差が、空間に亘って滑らかに変化することを利用することによって解消される、請求項６に記載の方法。
【請求項８】
前記イメージングシーケンスは、異なる極性の切り替え磁場勾配を含むマルチ勾配エコーシーケンスである、請求項１乃至７の何れか一項に記載の方法。
【請求項９】
推定される前記渦電流誘起位相誤差は、渦電流誘起位相誤差を含まない更なる信号モデルに基づいて、補正された取得された前記エコー信号への前記少なくとも２つの化学種の前記信号寄与を分離する前に、取得された前記エコー信号において補正される、請求項１乃至８の何れか一項に記載の方法。
【請求項１０】
請求項１乃至９の何れか一項に記載の方法を実行するＭＲデバイスであって、
検査ボリューム内に均一な定常磁場を発生させる少なくとも１つの主磁石コイルと、前記検査ボリュームにおいて様々な空間方向に切り替え磁場勾配を発生させる幾つかの勾配コイルと、前記検査ボリューム内にＲＦパルスを発生させる及び／又は前記検査ボリューム内に位置付けられた患者の身体からのＭＲ信号を受信する少なくとも１つのＲＦコイルと、前記ＲＦパルス及び前記切り替え磁場勾配の時間的連続を制御する制御ユニットと、受信した前記ＭＲ信号からＭＲ画像を再構成する再構成ユニットと、を含み、前記ＭＲデバイスは、
ａ）前記身体に、前記ＲＦパルス及び前記切り替え磁場勾配からなるイメージングシーケンスを当てることによって、異なるエコー時間における少なくとも４つのエコー信号を生成し、
ｂ）低空間分解能において、前記少なくとも４つのエコー信号を取得し、
ｃ）各化学種のＭＲスペクトルと、前記検査ボリュームにおける主磁場の空間的変化と、実効横緩和率とを含む信号モデルに基づいて、前記少なくとも４つのエコー信号からのフィッティング手順によって、前記低空間分解能において取得された前記エコー信号における位相誤差を推定し、
ｄ）高空間分解能において、前記エコー信号を取得し、
ｅ）推定される渦電流誘起位相誤差に基づいて、前記高空間分解能において取得された前記エコー信号への前記少なくとも２つの化学種の信号寄与を定量的に分離する、
ことを実行する、ＭＲデバイス。
【請求項１１】
ＭＲデバイス上で実行されるコンピュータプログラムであって、
ａ）ＲＦパルス及び切り替え磁場勾配からなるイメージングシーケンスを適用することによって、異なるエコー時間における少なくとも４つのエコー信号を生成し、
ｂ）低空間分解能において、前記少なくとも４つのエコー信号を取得し、
ｃ）各化学種のＭＲスペクトルと、検査ボリュームにおける主磁場の空間的変化と、実効横緩和率とを含む信号モデルに基づいて、少なくとも４つの前記エコー信号からのフィッティング手順によって、前記低空間分解能において取得された前記エコー信号における位相誤差を推定し、
ｄ）高空間分解能において、少なくとも４つのエコー信号を取得し、
ｅ）推定される渦電流誘起位相誤差に基づいて、前記高空間分解能において取得された前記エコー信号への前記少なくとも２つの化学種の信号寄与を定量的に分離するための命令を含む、コンピュータプログラム。